(57)【要約】      （修正有）【課題】携帯電話を使用して国家試験等に関する模擬試験を行ない、その結果をふまえて、能力に応じて、適宜な本の購入を薦めること。【解決手段】携帯電話を使用して国家試験等に関する種々の分野別模擬試験を行う旨の信号等の入力信号を通信回線を介して受信する入力信号受信手段３と、分野別模擬試験問題文記憶手段５と、携帯電話の表示画面から分野別模擬試験を表示してこれを適宜選択する分野別模擬試験表示及び選択手段４と、これで選択した所定数の第１次の問題文を抽出して前記携帯電話の表示画面に表示する問題文抽出表示手段６と、これで抽出表示された模擬試験問題を順次表示すると共にそれぞれの解答を受信して正誤判定をしつつ正解率を判断する正解率判断手段７とをデータベースサーバＢが備えていること。所定の割合以上の正解があった場合には問題集を、所定の割合未満の場合には、基本の教科書をそれぞれ推薦する。【選択図】図２
2006072845.tif 000002
【特許請求の範囲】
【請求項１】
携帯電話を使用して通信回線を介して国家試験等に関する種々の分野別模擬試験を行ない、その解答結果をふまえて、試験をした者の能力に応じて、データベースサーバが適宜な問題集又は適宜な教科書の購入を推薦するように処理してなることを特徴とする携帯電話を使用した模擬試験システム。
【請求項２】
携帯電話を使用して国家試験等に関する種々の分野別模擬試験を行う旨の信号及びこれらに関する入力信号を通信回線を介して受信する入力信号受信手段と、分野別模擬試験問題文記憶手段と、携帯電話の表示画面から分野別模擬試験を表示してこれを適宜選択する分野別模擬試験表示及び選択手段と、該分野別模擬試験表示及び選択手段にて選択した所定数の第１次の問題文を抽出して前記携帯電話の表示画面に表示する問題文抽出表示手段と、該問題文抽出表示手段にて抽出表示された模擬試験問題を順次表示すると共にそれぞれの解答を受信して正誤判定をしつつ正解率を判断する正解率判断手段とをデータベースサーバが備えてなり、前記正解率判断手段の判断において、所定の割合以上の正解があった場合には問題集を、所定の割合未満の正解率の場合には、基本の教科書をそれぞれ推薦するように処理してなることを特徴とする携帯電話を使用した模擬試験システム。
【請求項３】
携帯電話を使用して国家試験等に関する種々の分野別模擬試験を行う旨の信号及びこれらに関する入力信号を通信回線を介して受信する入力信号受信手段と、種々の分野別模擬試験問題文記憶手段と、携帯電話の表示画面から分野別模擬試験を表示してこれを適宜選択する分野別模擬試験表示及び選択手段と、該分野別模擬試験表示及び選択手段にて選択した所定数の第１次の問題文を抽出して前記携帯電話の表示画面に表示する問題文抽出表示手段と、該問題文抽出表示手段にて抽出表示された模擬試験問題を順次表示すると共にそれぞれの解答を受信して正誤判定をしつつ正解率を判断する正解率判断手段とを備え、所定の割合以上の正解があった場合には、第２次の通常の問題文を前記問題文抽出表示手段にて順次表示し、前記正解率判断手段の判断において、所定の割合未満の正解があった場合には、不正解問題傾向を抽出する不正解問題傾向抽出手段と、該不正解問題傾向抽出手段にて抽出された傾向問題文抽出表示手段と、該傾向問題文抽出表示手段にて抽出表示された第２次の模擬試験問題を順次表示すると共にそれぞれの解答を受信して正誤判定をしつつ前述の正解率とを平均した総合正解率を判断する総合正解率判断手段とを備えてなり、該総合正解率判断手段の判断において、所定の割合以上の正解があった場合には問題集を、所定の割合未満の正解率の場合には、基本の教科書をそれぞれ推薦するようにしてなることをデータサーバが備えてなることを特徴とする携帯電話を使用した模擬試験システム。    
【請求項４】
請求項２又は３において、前記所定の割合を約６０％〜約７０％としてなることを特徴とする携帯電話を使用した模擬試験システム。
【請求項５】
請求項２において、第１次の問題文における各問にそれぞれ適宜重みをつけて、試験として出題される傾向が「高い」場合のランク問題の小計の前記所定の割合を約６０％〜約７０％としてなることを特徴とする携帯電話を使用した模擬試験システム。
【請求項６】
請求項３において、第１次，第２次の通常の問題文及び前記傾向問題文抽出表示手段にて抽出表示された第２次の模擬試験問題における各問にそれぞれ適宜重みをつけて、試験として出題される傾向が「高い」場合のランク問題の小計の前記所定の割合を約６０％〜約７０％としてなることを特徴とする携帯電話を使用した模擬試験システム。
【発明の詳細な説明】
【技術分野】
【０００１】
本発明は、携帯電話を使用して国家試験等に関する模擬試験を行ない、その結果をふまえて、試験した者の能力に応じて、適宜な本（教科書又は問題集）の購入を薦めるするようにするビジネスモデルとしての携帯電話を使用した模擬試験システムに関する。
【背景技術】
【０００２】
現在、各種の国家試験等に関する教科書又はその問題集は、書店又はオンラインショッピング等で盛んに販売されているが、書店に行っても、その読者に合った、良い教科書又はその問題集を見つけるのが困難であったり、書店においては在庫がなかったりしていた。その点、わざわざ出向かなくともオンラインショッピングで本の購入することができるが内容をある程度でも知ることが困難であった。また、従来より、携帯電話を使用した模擬試験システムとしては、特許文献１が存在する。携帯電話を使用して試験をして合否を判定するものは存在するが、試験結果を踏まえての本の程度を紹介するようにしたものは存在しない。
【特許文献１】特開２００４−６１７１４
【発明の開示】
【発明が解決しようとする課題】
【０００３】
携帯電話を使って国家試験等に関する模擬試験を行ない、その結果をふまえて、試験した者の能力に応じて、適宜な本（教科書又は問題集）の購入を薦めるようにするビジネスモデルとしたものは、未だ存在していない。模擬試験を行うのみではなく、本の購入につなげるようにすることが、大きなポイントである。特に、解答した問題文において、所定の割合以上の不正解があった場合には、今後の問題文は、その傾向となるように傾向対策手段を備えるようにしたものである。このため、本発明が解決しようとする課題（技術的課題又は目的等）は、携帯模擬試験と、該携帯模擬試験を通じて本の購入とを連動させることを実現することである。
【課題を解決するための手段】
【０００４】
そこで、発明者は上記課題を解決すべく鋭意，研究を重ねた結果、請求項１の発明を、携帯電話を使用して通信回線を介して国家試験等に関する種々の分野別模擬試験を行ない、その解答結果をふまえて、試験をした者の能力に応じて、データベースサーバが適宜な問題集又は適宜な教科書の購入を推薦するように処理してなることを特徴とする携帯電話を使用した模擬試験システムとしたことにより、前記課題を解決した。
【０００５】
また、請求項２の発明を、携帯電話を使用して国家試験等に関する種々の分野別模擬試験を行う旨の信号及びこれらに関する入力信号を通信回線を介して受信する入力信号受信手段と、分野別模擬試験問題文記憶手段と、携帯電話の表示画面から分野別模擬試験を表示してこれを適宜選択する分野別模擬試験表示及び選択手段と、該分野別模擬試験表示及び選択手段にて選択した所定数の第１次の問題文を抽出して前記携帯電話の表示画面に表示する問題文抽出表示手段と、該問題文抽出表示手段にて抽出表示された模擬試験問題を順次表示すると共にそれぞれの解答を受信して正誤判定をしつつ正解率を判断する正解率判断手段とをデータベースサーバが備えてなり、前記正解率判断手段の判断において、所定の割合以上の正解があった場合には問題集を、所定の割合未満の正解率の場合には、基本の教科書をそれぞれ推薦するように処理してなることを特徴とする携帯電話を使用した模擬試験システムとしたことにより、前記課題を解決した。
【０００６】
また、請求項３の発明を、携帯電話を使用して国家試験等に関する種々の分野別模擬試験を行う旨の信号及びこれらに関する入力信号を通信回線を介して受信する入力信号受信手段と、種々の分野別模擬試験問題文記憶手段と、携帯電話の表示画面から分野別模擬試験を表示してこれを適宜選択する分野別模擬試験表示及び選択手段と、該分野別模擬試験表示及び選択手段にて選択した所定数の第１次の問題文を抽出して前記携帯電話の表示画面に表示する問題文抽出表示手段と、該問題文抽出表示手段にて抽出表示された模擬試験問題を順次表示すると共にそれぞれの解答を受信して正誤判定をしつつ正解率を判断する正解率判断手段とを備え、所定の割合以上の正解があった場合には、第２次の通常の問題文を前記問題文抽出表示手段にて順次表示し、前記正解率判断手段の判断において、所定の割合未満の正解があった場合には、不正解問題傾向を抽出する不正解問題傾向抽出手段と、該不正解問題傾向抽出手段にて抽出された傾向問題文抽出表示手段と、該傾向問題文抽出表示手段にて抽出表示された第２次の模擬試験問題を順次表示すると共にそれぞれの解答を受信して正誤判定をしつつ前述の正解率とを平均した総合正解率を判断する総合正解率判断手段とを備えてなり、該総合正解率判断手段の判断において、所定の割合以上の正解があった場合には問題集を、所定の割合未満の正解率の場合には、基本の教科書をそれぞれ推薦するようにしてなることをデータサーバが備えてなることを特徴とする携帯電話を使用した模擬試験システムとしたことにより、前記課題を解決したものである。
【０００７】
さらに、請求項４の発明を、前記構成において、前記所定の割合を約６０％〜約７０％としてなることを特徴とする携帯電話を使用した模擬試験システムとしたことにより、前記課題を解決した。また、請求項５の発明を、前記構成において、第１次の問題文における各問にそれぞれ適宜重みをつけて、試験として出題される傾向が「高い」場合のランク問題の小計の前記所定の割合を約６０％〜約７０％としてなることを特徴とする携帯電話を使用した模擬試験システムとしたことにより、前記課題を解決した。また、請求項６の発明を、前記構成において、第１次，第２次の通常の問題文及び前記傾向問題文抽出表示手段にて抽出表示された第２次の模擬試験問題における各問にそれぞれ適宜重みをつけて、試験として出題される傾向が「高い」場合のランク問題の小計の前記所定の割合を約６０％〜約７０％としてなることを特徴とする携帯電話を使用した模擬試験システムとしたことにより、前記課題を解決したものである。
【発明の効果】
【０００８】
請求項１の発明においては、試験した者の能力に応じて、適宜な本（教科書又は問題集）の購入を適切に薦めることができる。また、請求項２の発明においては、簡単な模擬試験で簡易に本又は問題集の購入に寄与できる。また、請求項３の発明では、特に、不正解問題傾向を把握しつつ、本又は問題集の購入ができる利点がある。請求項４の発明では、適当な数又は割合で本発明を好適に実施できる。請求項５及び６の発明は、特に、試験として出題される傾向が「高い」場合の問題を自ずと試験することとなり、携帯電話を使用した模擬試験としてのレベルアップを図ることができる。
【発明を実施するための最良の形態】
【０００９】
以下、本発明の実施形態について図面に基づいて説明すると、図１は本発明のシステムの概要図であり、図２はサーバのブロック図である。主な構成は、多数散在している携帯電話Ａ（mobile phone) と、該携帯電話Ａと、インターネット等の通信回線Ｃを通じて接続されているデータベースサーバＢとで構成されている。
【００１０】
前記携帯電話Ａは、携帯電話本体１に表示画面２が設けられている。前記データベースサーバＢは、図２に示すように、中央処理装置（ＣＰＵ）２０と、個別携帯電話からの入力信号受信手段３と、分野別模擬試験表示及び選択手段４と、分野別模擬試験問題文記憶手段５と、問題文抽出表示手段６と、正解率判断手段７と、不正解問題傾向抽出手段８と、傾向問題文抽出表示手段９と、総合正解率判断手段１０と、総合正解率表示手段１１とから構成されている。
【００１１】
前記入力信号受信手段３は、携帯電話Ａの表示画面２に表示された文字又は記号又は図形等をクリックすることで、前記データベースサーバＢに入力信号が受信できるように構成されている。具体的には、前記携帯電話Ａの表示画面２のメニューの１項目に「資格コンテンツ配信」が表示されている〔図４（Ａ）参照〕。該「資格コンテンツ配信」箇所をクリックすることで、前記分野別模擬試験表示及び選択手段４が表示される。具体的には、前記携帯電話Ａの表示画面２において、図４（Ｂ）に示すように、「勉強したい資格を選択してください。」の表示と共に、適宜の試験（国家試験、都道府県試験、業界試験等）の分野別模擬試験の表題が表示される。所望の分野別模擬試験は、表示された項目をクリックすることで選択されるように構成されている。
【００１２】
所望の分野別模擬試験が選択されると、前記分野別模擬試験問題文記憶手段５に格納された該当の分野別模擬試験問題文が、携帯電話本体１の表示画面２に表示される。具体的には、第何番目の問題文と、その下側に、回答欄が表示される。その表示画面２において、その回答を入力することでその発信信号が前記データベースサーバＢに受信され、且つ前記正解率判断手段７に包含される解答判断部７ａに一時記憶される。さらに当該問題の回答が前記表示画面２に表示され、その下側の次の問題番号箇所をクリックすることで次の問題文が表示される。すなわち、第２番目乃至第１０番目の問題文と、その解答欄が次々と表示される。これをそれぞれ解答する〔図４（Ａ）参照〕。このような第１次の１０問が終了すると、前記正解率判断手段７にて第１問から第１０問の全体の正解率を判断して正解率６０％以上か否かを判断する。ここにおいて、１０問を単位としたが、５問でも８問でもよく、問題数に限定されない。さらに、この使用態様では、正解率６０％を分岐点としたが、５０％又は７０％でもよく、６０％には限定されない。                
【００１３】
まず、各問に対して、重みを付けることなく、各問が同等に価値あるものとして、正解率を判断する場合である。このようにして、問題文を解き、例えば、正解率６０％以上のときには、前述の同一分野の模擬試験問題文の１０問が、前記分野別模擬試験問題文記憶手段５に格納された分野別模擬試験問題文が問題文抽出表示手段６にて前述同様に、上側の問題文と、その下側の解答欄とが表示されるように構成されている。また、正解率６０％未満の場合には、不正解問題傾向抽出手段８によって、前述の１０問で不正解となった問題の傾向（基本知識、応用知識、ケーススタディ等の問題）が分析される。この分析は、不正解問題傾向抽出手段８を介して行われる。該不正解問題傾向抽出手段８は、基本知識、応用知識、ケーススタディ等の問題ができるか否かによって傾向が分析されるものである。
【００１４】
また、各問に対して、例えば、３段階の重みを付けて、正解率を判断する場合もある。この重みは、模擬試験問題文であることから、試験として出題される傾向が「高い」場合、すなわち高ランクをＡランクとし、出題される傾向が「中くらい」である場合、すなわち中ランクをＢランクとし、出題される傾向が「低い」場合、すなわち低ランクをＣランクとする。そして、各問を同等の価値とした全体での正解率を２番目の評価とし、Ａランク問題の小計の正解率を１番目の評価とするものである。つまり、Ａランク偏重方式であり、前述の１０問の中で、例えば、Ａランクを３問、Ｂランクを５問、Ｃランクを２問とすると、そのＡランクの３問の内で、２問正解し、他のＢランクで１問正解、Ｃランクで２問正解であっても、正解率を約６０％〜約７０％とする。好ましくは、正解率を６０％とする。また、Ａランクの３問の内で１問正解し、他のＢランクで２問正解、Ｃランクで３問正解であるときは、Ａランク偏重方式からすると、正解率約６０％未満であるが、全体の正解率が約６０％〜約７０％以上となった場合にも、正解率が約６０％〜約７０％とするものである。
【００１５】
このように分析された後に、不正解傾向の前述の同一分野の模擬試験問題文の１０問が前記傾向問題文抽出表示手段９にて前述同様に、上側の問題文と、その下側の解答欄とが表示される。そして、正解率６０％以上でも、正解率６０％未満でも、その表示された第２次の１０問としての通常問題文又は傾向問題文が次々と表示されて、前述同様に解答して、前記総合正解率判断手段１０にて、その第１次及び第２次の平均の総合正解率が計算される。
【００１６】
前記総合正解率表示手段１１は、前記総合正解率を前記携帯電話本体１の表示画面２に表示するように構成されている。この総合正解率が６０％以上の場合は、基礎をマスターしているとして、問題集を紹介するものである。また、総合正解率が６０％未満の場合は、基礎力が必要であるため、教科書を紹介するものである。
【００１７】
本発明の作用について、フローチャートについて説明する。まず、使用者は、携帯電話の表示画面２に表示された種々の試験から、適宜の試験（国家試験、都道府県試験、業界試験等）を分野別模擬試験表示及び選択手段４にて選択する。そして、その適宜の試験の試験問題の第１次の１０問を表示画面２に表示する（Ｓ１参照）。その第１次の１０問を順次解く（Ｓ２参照）。この解かれた解答は、１問ずつデータベースサーバＢの中央処理装置（ＣＰＵ）２０に格納される。そして、該中央処理装置（ＣＰＵ）２０の正解率判断手段７にてその第１次の１０問の正解率を判断する（Ｓ３参照）。
【００１８】
この正解率が６０％以上の場合には、その選択された試験と同一種類の次のアトランダムな第２次の１０問が表示画面２に表示される（Ｓ４参照）。また、この正解率が６０％に達していない場合には、データベースサーバＢ内の不正解問題傾向抽出手段８にて不正解となった問題の傾向（基本知識、応用知識、ケーススタディ等の問題）を分析し、関係する項目から「キーワード」を抽出する（Ｓ５参照）。さらに、上記工程後、このユーザーが苦手とする傾向（基本知識、応用知識、ケーススタディ等の問題）の問題群を前記不正解問題傾向抽出手段８にて抽出して第２次の１０問を抽出する（Ｓ６参照）。該第２次の１０問の問題文が表示画面２に表示される（Ｓ７参照）。
【００１９】
このようにした第２次の１０問を順次解く（Ｓ８参照）。この解かれた解答は、１問ずつ前記データベースサーバＢの中央処理装置（ＣＰＵ）２０に格納され、且つ先の第１次の問題の正解率と、今回の第２次の正解率を合わせて、総合正解率判断手段１０にて正解率を判断する（Ｓ９参照）。つまり、第１次の正解率と第２次の正解率とを平均として総合的に計算するものである。そして、総合正解率を表示画面２に表示する（Ｓ１０参照）。同時に総合正解率が６０％に達している場合は、図４（Ｄ）に示すように、基本的な学習は既にマスターしているものとし、オンライン書店の問題集を紹介するように、出版社ＥＣサイトに誘導する（Ｓ１１参照）。また、同時に総合正解率が６０％未満の場合は、図４（Ｄ）に示すように、基本的な学習が必要であるとして、オンライン書店の教科書を紹介するように、出版社ＥＣサイトに誘導する（Ｓ１２参照）。
【００２０】
また、本発明では、第１次の問題文（１０問前後）と第２次の問題文（１０問前後）とを総合した模擬試験としたが、第１次の問題文のみとすることもあるし、或いは、これに加えて第３次以降の問題文を設けて構成することもあり、本発明の実施態様に限定されない。
【図面の簡単な説明】
【００２１】
【図１】本発明のシステムの概略図である。
【図２】本発明のデータベースサーバのブロック図である。
【図３】本発明の作用を示すフローチャートである。
【図４】（Ａ）は携帯電話の表示画面の一例、（Ｂ）は携帯電話の表示画面における分野別模擬試験を表示した一例、（Ｃ）は携帯電話の表示画面における分野別模擬試験の問題文の表示と回答とを順次繰り返すことを表示した一例、（Ｄ）は携帯電話の表示画面において総合正解率が所定％以上の場合に問題集を紹介するかの一例、（Ｅ）は携帯電話の表示画面において総合正解率が所定％未満の場合に教科書を紹介するかの一例である。
【符号の説明】
【００２２】
Ａ…携帯電話、Ｂ…データベースサーバ、Ｃ…通信回線、２…表示画面、
３…入力信号受信手段、４…分野別模擬試験表示及び選択手段、
５…分野別模擬試験問題文記憶手段、６…問題文抽出表示手段、７…正解率判断手段、
８…不正解問題傾向抽出手段、９…傾向問題文抽出表示手段、
１０…総合正解率判断手段。
【図１】
2006072845.tif 000003
【図２】
2006072845.tif 000004
【図３】
2006072845.tif 000005
【図４】
2006072845.tif 000006